(57)【特許請求の範囲】
【請求項１】
閉断面箱桁上にスタッド部には箱抜き用型枠を設置しスタッド部以外には硬質ウレタンの板材またはすべり性のよい樹脂を少なくとも表面に貼付した樹脂製または金属製の硬質部材からなる滑り用部材を設置し、
前記滑り用部材の外側側面に型枠端部を合わせて前記閉断面箱桁から横方向に外側に張り出し、コンクリート打設時には床版コンクリートの下面と側面の形状を出し、打設コンクリート硬化後には撤去される型枠を設置し、
床版コンクリートを打設し、
コンクリート硬化後前記型枠を撤去し、
滑り用部材部位での滑りにより床版コンクリートと箱桁との間の相対変位を許容しつつＰＣ鋼線を緊張し、
箱抜き部にモルタルを充填する、
工程からなる、閉断面箱桁の現場打ちプレストレストコンクリート床版の施工法。
【請求項２】
閉断面箱桁上に、スタッド付き鋼板を該鋼板または閉断面箱桁に形成したＰＣ鋼線緊張方向に拡大された拡大孔に高力ボルトを挿通して仮締めし、
前記スタッド付き鋼板の外側側面に型枠端部を合わせて前記閉断面箱桁から横方向に外側に張り出し、コンクリート打設時には床版コンクリートの下面と側面の形状を出し、打設コンクリート硬化後には撤去される型枠を設置し、
床版コンクリートを打設し、
コンクリート硬化後前記型枠を撤去し、
拡大孔内での高力ボルトの移動によりスタッド付き鋼板と箱桁との間の相対変位を許容しつつ橋軸直角方向にＰＣ鋼線を緊張し、
スタッド付き鋼板の高力ボルトを本締めする、
工程からなる、閉断面箱桁の現場打ちプレストレストコンクリート床版の施工法。
【発明の詳細な説明】
【０００１】
【発明の属する技術分野】
本発明は、閉断面箱桁の現場打ちプレストレストコンクリート床版の施工法に関する。
【０００２】
【従来の技術】
閉断面箱桁のプレストレストコンクリート床版の施工は、予め工場で製造したプレストレストコンクリート床版を現場に搬送して閉断面箱桁に設置し固定する方法がとられる。したがって、閉断面箱桁の現場打ちプレストレストコンクリート床版の施工例は無い。これは、現場打ちの場合は、図６に示すように、閉断面箱桁１１上に従来構造の床版１２のための型枠を設置し、コンクリートを打設し、コンクリート硬化後、ＰＣ鋼線１３を緊張してプレストレスを導入することになるので、プレストレスの導入がポストテンションとなり、以下の問題を生じるからである。
【０００３】
【発明が解決しようとする課題】
閉断面箱桁に現場打ちプレストレストコンクリート床版を施工すると、つぎの問題が生じる。
（ｉ）プレストレス導入時に箱桁の拘束が大きく、導入プレストレスの損失が発生する。
（ii）プレストレス導入時に箱桁本体に常時外力が作用するため、箱桁の補強が必要となる。
(iii) プレストレス導入時の箱桁の変形が少ないため、ＰＣプレストレスの緊張により、床版コンクリートに割れが発生する虞がある。
本発明の目的は、プレストレス導入時に箱桁の拘束が大きくなくかつ箱桁の補強も必要でなく、プレストレス導入時に床版コンクリートに割れが発生する虞がない、閉断面箱桁の現場打ちプレストレストコンクリート床版の施工法を提供することにある。
【０００４】
【課題を解決するための手段】
上記目的を達成する本発明はつぎの通りである。
（１）  閉断面箱桁上にスタッド部には箱抜き用型枠を設置しスタッド部以外には硬質ウレタンの板材またはすべり性のよい樹脂を少なくとも表面に貼付した樹脂製または金属製の硬質部材からなる滑り用部材を設置し、
前記滑り用部材の外側側面に型枠端部を合わせて前記閉断面箱桁から横方向に外側に張り出し、コンクリート打設時には床版コンクリートの下面と側面の形状を出し、打設コンクリート硬化後には撤去される型枠（以下、「打設コンクリート硬化後には撤去される型枠」、または、「従来構造の型枠」、「床版型枠」ともいう）を設置し、
床版コンクリートを打設し、
コンクリート硬化後前記型枠を撤去し、
滑り用部材部位での滑りにより床版コンクリートと箱桁との間の相対変位を許容しつつＰＣ鋼線を緊張し、
箱抜き部にモルタルを充填する、
工程からなる、閉断面箱桁の現場打ちプレストレストコンクリート床版の施工法。
（２）  閉断面箱桁上に、スタッド付き鋼板を該鋼板または閉断面箱桁に形成したＰＣ鋼線緊張方向に拡大された拡大孔に高力ボルトを挿通して仮締めし、
前記スタッド付き鋼板の外側側面に型枠端部を合わせて前記閉断面箱桁から横方向に外側に張り出し、コンクリート打設時には床版コンクリートの下面と側面の形状を出し、打設コンクリート硬化後には撤去される型枠（以下、「打設コンクリート硬化後には撤去される型枠」、または、「従来型枠」、「床版型枠」ともいう）を設置し、
床版コンクリートを打設し、
コンクリート硬化後前記型枠を撤去し、
拡大孔内での高力ボルトの移動によりスタッド付き鋼板と箱桁との間の相対変位を許容しつつ橋軸直角方向にＰＣ鋼線を緊張し、
スタッド付き鋼板の高力ボルトを本締めする、
工程からなる、閉断面箱桁の現場打ちプレストレストコンクリート床版の施工法。
【０００５】
上記（１）の閉断面箱桁の現場打ちプレストレストコンクリート床版の施工法では、スタッド部には箱抜き用型枠を設置してコンクリートを打つので、ＰＣ緊張時に床版コンクリートがスタッドに対して相対移動しても、スタッド部はコンクリートと干渉せず、また、閉断面箱桁上に滑り用部材（たとえば、硬質ウレタン）を設置した上に床版型枠を設置するので、ＰＣ緊張時に床版コンクリートが閉断面箱桁に対して相対移動しても、滑り用部材部位で滑ることができる。その結果、ＰＣ緊張時に、床版コンクリートと閉断面箱桁とは、互いに拘束し合わず、プレストレス導入時における、床版コンクリートと箱桁の互いの拘束は大きくなく、したがって、箱桁の補強も必要でなく、プレストレス導入時に床版コンクリートに割れが発生する虞もない。
上記（２）の閉断面箱桁の現場打ちプレストレストコンクリート床版の施工法では、閉断面箱桁上に、スタッド付き鋼板を該鋼板に形成した拡大孔に高力ボルトを挿通して仮締めするので、ＰＣ緊張時に床版コンクリートとスタッド付き鋼板が一体になって閉断面箱桁に対して相対移動しても、高力ボルトが拡大孔内を移動できるため、スタッド付き鋼板の下面が閉断面箱桁に対して滑ることができる。その結果、ＰＣ緊張時に、床版コンクリートと閉断面箱桁とは、互いに拘束し合わず、プレストレス導入時における、床版コンクリートと箱桁の互いの拘束は大きくなく、したがって、箱桁の補強も必要でなく、プレストレス導入時に床版コンクリートに割れが発生する虞もない。
【０００６】
【発明の実施の形態】
図１、図２は本発明の第１実施例の閉断面箱桁の現場打ちプレストレストコンクリート床版の施工法を示しており、図３〜図５は本発明の第２実施例の閉断面箱桁の現場打ちプレストレストコンクリート床版の施工法を示している。
【０００７】
まず、本発明の第１実施例を、図１、図２を参照して説明する。
図１、図２に示すように、本発明の第１実施例の閉断面箱桁の現場打ちプレストレストコンクリート床版の施工法は、閉断面箱桁１１上にスタッド部１４には箱抜き用型枠１５を設置しスタッド部１４以外には滑り用部材１６を設置する工程と、ついで滑り用部材１６上に従来構造の型枠１７を設置する工程と、ついで床版コンクリート１８を打設する工程と、コンクリート硬化後従来構造の型枠１７を撤去する工程と、ついでＰＣ鋼線１３を緊張する工程と、ついで箱抜き部１９にモルタルを充填する工程と、からなる。滑り用部材１６は、たとえば、硬質ウレタンからなる。滑り用部材１６は、硬質ウレタン１６の代わりに、すべり性のよい樹脂を少なくとも表面に貼付した樹脂製または金属製の硬質部材であってもよい。以下の説明では、滑り用部材１６が硬質ウレタンの板材である場合を例にとる。
【０００８】
スタッド部１４にはスタッドジベルが閉断面箱桁１１に固定され、その周囲が箱抜き用型枠１５で箱抜きされる。滑り用部材１６である硬質ウレタン１６は箱抜き部１９には設置されない。スタッド部１４および硬質ウレタン１６は、閉断面箱桁１１の断面の左右両側部上面に設けられる。
【０００９】
型枠１７を設置後、鉄筋を配筋する時にＰＣ鋼線の鞘を設置した後、コンクリートを打設する。ＰＣ鋼線１３を緊張する工程では、ＰＣ鋼線１３を鞘に通しているので、ＰＣ鋼線１３はコンクリートとは独立である。ＰＣ鋼線１３は、現場で緊張され、コンクリート硬化後のポストテンションとなる。ＰＣ鋼線１３緊張時には床版１２にＰＣ鋼線１３緊張方向に圧縮力がかかるが（この時ＰＣ鋼線１３には引張り力がかかる）、床版１２と硬質ウレタン１６または硬質ウレタン１６と閉断面箱桁１１との間にすべりが生じて、床版１２は閉断面箱桁１１とほとんど拘束しあうことなく縮み、また箱抜き部１９にモルタルを充填する前であるので、スタッドジベルと拘束しあうことなく縮むことができる。
【００１０】
床版１２と閉断面箱桁との間の空間には、床版コンクリートの型枠１７と同時施行される埋め殺し型枠２３が設置される。埋め殺し型枠２３は、通常、発泡スチロールや硬質ウレタンからなり、型枠下部と箱桁上面との間に空間が生じないように施行される。埋め殺し型枠２３は、完成後も撤去されず残される。
【００１１】
本発明の第１実施例の作用を説明する。
スタッド部１４には箱抜き用型枠１５を設置して箱抜き部１９とし、箱抜き部１９以外の部位にコンクリートを打つので、ＰＣ緊張時に床版１２がスタッド部１４に対して相対移動しても、スタッド部１４は床版コンクリートと干渉しない。また、閉断面箱桁上に滑り用部材１６である硬質ウレタンの板材を設置した上に床版型枠１７を設置するので、ＰＣ緊張時に床版１２が閉断面箱桁１１に対して相対移動しても、硬質ウレタン１６部位で滑ることができる。その結果、ＰＣ緊張時に、床版１２と閉断面箱桁１１とは、互いにほとんど拘束し合わない。プレストレス導入時における、床版１２と箱桁１１の互いの拘束は大きくないため、箱桁１１の補強も必要でなく、プレストレス導入時に床版コンクリート１８に割れが発生する虞もない。ＰＣ鋼線１３の緊張によって床版１２を縮ませた後に、硬質ウレタン１６を撤去し、箱抜き部１９及び硬質ウレタン部１６にモルタルを充填する。
【００１２】
つぎに、本発明の第２実施例を、図３〜図５を参照して説明する。
図３〜図５に示すように、本発明の第２実施例の閉断面箱桁の現場打ちプレストレストコンクリート床版の施工法は、閉断面箱桁１１上に、スタッド１４付き鋼板２０を全長に敷きわたした後、該鋼板２０または閉断面箱桁１１に形成した拡大孔２１に高力ボルト２２を挿通して仮締めする工程と、ついで鋼板２０上に従来構造の型枠１７を設置する工程と、ついで床版コンクリート１８を打設する工程と、コンクリート硬化後従来構造の型枠１７を撤去する工程と、ついでＰＣ鋼線１３を緊張する工程と、ついでスタッド付き鋼板２０の高力ボルト２２を本締めする工程と、からなる。ＰＣ緊張時には、鋼板２０の下面と閉断面箱桁１１の上面との間で滑りを生じさせる。
【００１３】
鋼板２０にはスタッドジベル１４が固定される。床版コンクリート１８の打設時、コンクリートはスタッドジベル１４のまわりを埋める。スタッド１４付き鋼板２０は、閉断面箱桁１１の断面の左右両側部上面に設けられる。
【００１４】
型枠１７を設置後、コンクリートを打設する前に、鉄筋を配筋する時にＰＣ鋼線の鞘を設置する。ＰＣ鋼線１３を緊張する工程では、ＰＣ鋼線１３を鞘に通しているので、ＰＣ鋼線１３はコンクリートとは独立である。ＰＣ鋼線１３は、現場で緊張され、コンクリート硬化後のポストテンションとなる。ＰＣ鋼線１３緊張時には床版１２にＰＣ鋼線１３緊張方向に圧縮力がかかるが（この時ＰＣ鋼線１３には引張り力がかかる）、鋼板２０の下面と閉断面箱桁１１の上面との間で滑りが生じて、床版１２は閉断面箱桁１１とほとんど拘束しあうことなく縮むことができる。
【００１５】
床版１２と閉断面箱桁１１との間の空間には、床版コンクリートの型枠１７と同時施工される埋め殺し型枠２３が設置される。埋め殺し型枠２３は、通常、発泡スチロールや硬質ウレタンからなり、型枠下部と箱桁上部との間に空間が生じないように施工される。埋め殺し型枠２３は、完成後も撤去されず残される。
【００１６】
本発明の第２実施例の作用を説明する。
閉断面箱桁１１上に、スタッド１４付き鋼板２０を該鋼板２０または閉断面箱桁１１に形成した拡大孔２１に高力ボルト２２を挿通して仮締めするので、ＰＣ緊張時に床版１２とスタッド付き鋼板２０が一体になって閉断面箱桁１１に対して相対移動しても、高力ボルト２２が拡大孔２１内を移動できるため、スタッド付き鋼板２０の下面が閉断面箱桁１１に対して滑ることができる。その結果、ＰＣ緊張時に、床版１２と閉断面箱桁１１とは、互いにほとんど拘束し合わない。プレストレス導入時における、床版コンクリート１８と箱桁１１の互いの拘束は大きくないため、箱桁１１の補強も必要でなく、プレストレス導入時に床版コンクリート１８に割れが発生する虞もない。ＰＣ鋼線１３の緊張によって床版１２を縮ませた後に、高力ボルト２２を本締めする。
【００１７】
【発明の効果】
請求項１の閉断面箱桁の現場打ちプレストレストコンクリート床版の施工法によれば、スタッド部に箱抜き用型枠を設置してコンクリートを打つので、ＰＣ緊張時に床版コンクリートがスタッドに対して相対移動しても、スタッド部はコンクリートと干渉せず、また、閉断面箱桁上に滑り用部材を設置した上に床版型枠を設置するので、ＰＣ緊張時に床版コンクリートが閉断面箱桁に対して相対移動しても、滑り用部材部位で滑ることができる。その結果、ＰＣ緊張時に、床版コンクリートと閉断面箱桁とは、互いに拘束し合わない。プレストレス導入時における、床版コンクリートと箱桁の互いの拘束は大きくないため、箱桁の補強も必要でなく、プレストレス導入時に床版コンクリートに割れが発生する虞もない。
請求項２の閉断面箱桁の現場打ちプレストレストコンクリート床版の施工法によれば、閉断面箱桁上に、スタッド付き鋼板を該鋼板に形成した拡大孔に高力ボルトを挿通して仮締めするので、ＰＣ緊張時に床版コンクリートとスタッド付き鋼板が一体になって閉断面箱桁に対して相対移動しても、高力ボルトが拡大孔内を移動でき、スタッド付き鋼板の下面が閉断面箱桁に対して滑ることができる。その結果、ＰＣ緊張時に、床版コンクリートと閉断面箱桁とは、互いに拘束し合わない。プレストレス導入時における、床版コンクリートと箱桁の互いの拘束は大きくないため、箱桁の補強も必要でなく、プレストレス導入時に床版コンクリートに割れが発生する虞もない。
【図面の簡単な説明】
【図１】  本発明の第１実施例の閉断面箱桁の現場打ちプレストレストコンクリート床版の施工法の実施途中の断面図である。
【図２】  図１の平面図である。
【図３】  本発明の第２実施例の閉断面箱桁の現場打ちプレストレストコンクリート床版の施工法の実施途中の断面図である。
【図４】  図３のａ部の拡大断面図である。
【図５】  図４の拡大孔の平面図である。
【図６】  閉断面箱桁の現場打ちプレストレストコンクリート床版の施工法の問題を示す断面図である。
【符号の説明】
１１  閉断面箱桁
１２  床版
１３  ＰＣ鋼線
１４  スタッド部（スタッドジベル）
１５  箱抜き用型枠
１６  滑り用部材
１７  従来構造の型枠
１８  床版コンクリート
１９  箱抜き部
２０  スタッド１４付き鋼板
２１  拡大孔
２２  高力ボルト
２３  埋め殺し型枠
【図１】
0004127933.tif 000002
【図２】
0004127933.tif 000003
【図３】
0004127933.tif 000004
【図４】
0004127933.tif 000005
【図５】
0004127933.tif 000006
【図６】
0004127933.tif 000007